(57)【特許請求の範囲】
【請求項１】
外部からの電波を受信する受信機において、
受信回路を搭載した回路基板と、
前記受信回路に接続されているアンテナと、
前記受信回路を駆動する電池と、
前記回路基板と前記アンテナと前記電池とを収納する外筐と、
を具備し、前記外筐はその断面がほぼ３角形の筒体から構成され、断面が３角形を構成する３つの側面の内の１つの側面が外周面に向かって突出した湾曲面とし、他の２つの側面を平坦面として構成され、該湾曲面から成る側面の内側に前記アンテナが配されることを特徴とする受信機。
【請求項２】
ＧＰＳ衛星からの電波を受信して位置情報を得ることを特徴とする請求項１に記載の受信機。
【請求項３】
外筐の上端にフックを設けるとともに、該フックを外筐に対して側方に突出させ、前記フックに係止されたストラップによって吊下げたときに、前記アンテナが内側に配される外側面が斜め上方を向くことを特徴とする請求項１に記載の受信機。
【請求項４】
側方に突出された前記フックの周方向の中央部に突部を形成し、該突部に対して前記ストラップが側方にずれた位置で係止されることを特徴とする請求項３に記載の受信機。
【請求項５】
得られた位置情報を外部機器に転送する転送手段を有することを特徴とする請求項２に記載の受信機。
【請求項６】
外部からの電波を受信する受信機において、
受信回路を搭載した回路基板と、
前記受信回路に接続されているアンテナと、
前記受信回路を駆動する電池と、
前記回路基板と前記アンテナと前記電池とを収納する外筐と、
を具備し、
前記外筐の半径方向の寸法が下に行くに従って大きくなるようにしたほぼ涙滴形の筒体から構成され、涙滴の上面に相当する湾曲面から成る外側面の内側に前記アンテナが配されることを特徴とする受信機。
【請求項７】
ＧＰＳ衛星からの電波を受信して位置情報を得ることを特徴とする請求項１に記載の受信機。
【発明の詳細な説明】
【技術分野】
【０００１】
本発明は受信機に係り、とくに外部から電波を受信する受信機に関する。
【背景技術】
【０００２】
例えば特開２００１−２１８１４７号公報には、ビデオテープを再生することなく該ビデオテープに記録された画像のシーンや撮像場所等をユーザに対して短時間で容易に認識させるようにした撮像装置が開示されている。この装置は、カメラ部を介して供給された画像データと、ＧＰＳ受信機を介して検出された撮影場所の位置データと、画像データの記録対象を特定するテープＩＤを含む属性データとをビデオテープに記録し、指定されたタイミングでのみ画像データ、位置データ、及び属性データを取り込み、着脱自在な携帯型外部メモリに記録するようにしたことにより、指定したタイミングの画像データ、位置データ、及び属性データだけが記録された携帯型外部メモリを再生して表示するだけで、ビデオテープを再生することなくビデオテープに記録されたシーンや撮影場所及びテープＩＤをユーザに対して短時間で認識させるようにしたものである。
【０００３】
また特開２００４−３２１２９号公報には、容易な操作のみで、撮影した画像をＷｅｂページに公開するようにした情報処理装置が開示されている。この処理装置は、日記サービス提供サーバが、予めＷｅｂサーバから天気情報、ニュース、音楽の売上順位に関する情報を取得しておくと共に、地図のデータベースを保有しており、撮像装置に、ＧＰＳ受信機を内蔵している。そして撮像装置は、撮影した静止画ファイルに、撮影日時と撮影場所の情報を記録して、この画像ファイルを日記サービス提供サーバに送信するようにしており、日記サービス提供サーバが、受信した画像ファイルに記録された撮影日時と、撮影場所に基づいてＷｅｂページを作成し、Ｗｅｂページには、撮影日の天気情報、ニュース、音楽の売上情報、撮影場所の印がつけられた地図が盛り込まれるようにしている。
【０００４】
ここでとくに特開２００４−３２１２９号公報に開示されている情報処理装置に用いられる撮像装置は、ＧＰＳ受信機を内蔵したポータブル機器である。このようなＧＰＳを使用した電子機器であってポータブル機器においては、ナビゲーション機能を意識して使う場合には、機器を手に持って画面を覗きながら使用するタイプになる。従ってこの場合に、撮像装置内におけるＧＰＳアンテナは、手に持って歩く想定でその配置位置が決められる。ＧＰＳ衛星を測位していないと、ナビゲーション機能が果たされないために、使用者は測位が認識できるまで、アンテナ面を上に向けたり、天空を探したりと、意識的に受信の努力をすることになる。
【０００５】
これに対してＧＰＳ衛星からの電波を受信して位置情報を得るようにしたＧＰＳ受信機を独立の形態とし、ポータブル型電子機器とは分離して構成する場合であって、自動的に位置情報を記録させるために使用する受信機を使用することがある。このような受信機の場合には、従来の機器のように手で持って測位状態を確認しながら使用することなく、ストラップに吊下げたり、カバンの中に収納したりして持運び、自動的に位置情報を取得する。この場合には、使用者が意識しなくても受信性能が保たれていなければならない必要がある。ところがＧＰＳ衛星からの電波としては、１．５ＧＨｚのマイクロ波が用いられている。マイクロ波は直進性が高く、障害物で遮断される性質を有する電波である。従ってこのようなＧＰＳ衛星からの電波を受信するためには、アンテナが上記ＧＰＳ衛星に向かうような方向にしなければ良好な受信を行なうことができない。
【特許文献１】特開２００１−２１８１４７号公報
【特許文献２】特開２００４−３２１２９号公報
【発明の開示】
【発明が解決しようとする課題】
【０００６】
本願発明の課題は、外筐内に配されたアンテナが電波を受信し易い向きになるように保持できるようにした受信機を提供することである。
【０００７】
本願発明の別の課題は、外筐が電波を受信し難い姿勢をとった場合であっても、電波を受信し易い姿勢に変化し易い形態をした受信機を提供することである。
【０００８】
本願発明のさらに別の課題は、ストラップによって吊下げて持運びながら電波を受信する場合に、内部に配されているアンテナが電波を受信し易い向きになるようにした受信機を提供することである。
【０００９】
本願発明の上記の課題および別の課題は、以下に述べる本願発明の技術的思想、およびその実施の形態によって明らかにされる。
【課題を解決するための手段】
【００１０】
本願の主要な発明は、外部からの電波を受信する受信機において、
受信回路を搭載した回路基板と、
前記受信回路に接続されているアンテナと、
前記受信回路を駆動する電池と、
前記回路基板と前記アンテナと前記電池とを収納する外筐と、
を具備し、前記外筐はその断面がほぼ３角形の筒体から構成され、断面が３角形を構成する３つの側面の内の１つの側面が外周面に向かって突出した湾曲面とし、他の２つの側面を平坦面として構成され、該湾曲面から成る側面の内側に前記アンテナが配されることを特徴とする受信機に関するものである。
【００１１】
ここで、ＧＰＳ衛星からの電波を受信して位置情報を得るようにしてよい。また外筐の上端にフックを設けるとともに、該フックを外筐に対して側方に突出させ、前記フックに係止されたストラップによって吊下げたときに、前記アンテナが内側に配される外側面が斜め上方を向くようにしてよい。また側方に突出された前記フックの周方向の中央部に突部を形成し、該突部に対して前記ストラップが側方にずれた位置で係止されてよい。また得られた位置情報を外部機器に転送する転送手段を有してよい。
【００１２】
本願の別の主要な発明は、外部からの電波を受信する受信機において、
受信回路を搭載した回路基板と、
前記受信回路に接続されているアンテナと、
前記受信回路を駆動する電池と、
前記回路基板と前記アンテナと前記電池とを収納する外筐と、
を具備し、
前記外筐の半径方向の寸法が下に行くに従って大きくなるようにしたほぼ涙滴形の筒体から構成され、涙滴の上面に相当する湾曲面から成る外側面の内側に前記アンテナが配されることを特徴とする受信機に関するものである。
【００１３】
ここで、ＧＰＳ衛星からの電波を受信して位置情報を得るようにしてよい。
【００１４】
本願発明の好ましい態様は、ＧＰＳ衛星から受信した位置情報を自動的に記録する受信機において、使用者が測位状態を意識せずにストラップ等で吊下げたり、カバンの中に収納する等して持運ぶ際に、受信性能を上げるために、外形の断面形状をほぼ３角形、おにぎり形、あるいは扇形にし、転がり易い形状とし、しかも３角形を構成する３面の内のアンテナが内側に配される面を湾曲形状にし、アンテナの受信に不利な状況を回避し易い形状にしている。またＧＰＳ衛星の受信性能を向上させるために、ストラップフック部の形状を、アンテナ面側外形から張出した形状にすることで、本体アンテナ面が上方向を向き易くし、また、本体が転がり易くなり、アンテナ受信に不利な状況を回避している。さらにストラップフック部中央に凸部を設け、ストラップを上記凸部に対してその片側に位置するようにすることで、重心がずれて、本体が転がり易くし、電波の受信に有利なようにしている。
【００１５】
本願発明の上述のような態様によると、とくに外筐の断面形状を３角形あるいはおにぎり形にすることによって、本体が転がり易くなり、ＧＰＳ衛星からの電波の受信性能が向上する。また３つの面の内の１つの面であってアンテナが内側に配される面を湾曲面形状とすることによって、本体が転がり易くなり、アンテナ面が、人やカバン等の遮蔽物に安定に接触するのを避け、ＧＰＳ衛星からの電波の受信性能を向上させることができる。またストラップフック部の形状を、内側にアンテナが配された外側面よりも外周側に張出した形状とすることによって、本体が上方を向き易くなり、しかも転がり易くなって、アンテナが内側に入っている面が人やカバン等の遮蔽物に安定に接触するのを避け、これによってＧＰＳ衛星からの電波の受信性能が向上される。またストラップフックの中央部に凸部を設けることによって、取付け紐の位置によって、重心が中央から側方に移動して転がり易くなり、上方向を向き易くなり、ＧＰＳ衛星の受信性能が向上する。
【発明の効果】
【００１６】
本願の主要な発明は、外部からの電波を受信する受信機において、受信回路を搭載した回路基板と、受信回路に接続されているアンテナと、受信回路を駆動する電池と、回路基板とアンテナと電池とを収納する外筐と、を具備し、外筐はその断面がほぼ３角形の筒体から構成され、断面が３角形を構成する３つの側面の内の１つの側面が外周面に向かって突出した湾曲面から構成され、該湾曲面から成る側面の内側にアンテナが配されるようにしたものである。
【００１７】
従ってこのような受信機によると、外部からの電波を受信するアンテナが、外筐を構成する３角形の筒体の３つの外側面の内の外周面に向かって突出した湾曲面の内側に配されることになる。従ってこの湾曲した外側面が下側になった場合には、不安定な姿勢となり、これによって他の２面が下側になるように転動し易くなり、アンテナが外部からの電波を受信し易い配置に変化する。これによって受信性能を高めることが可能になる。
【発明を実施するための最良の形態】
【００１８】
以下本願発明を図示の実施の形態によって説明する。図１〜図３は本実施の形態のＧＰＳ衛星からの電波を受信して位置情報を得る受信機である。この受信機は断面がほぼ３角形であってほぼ３角柱状をなす外筐１０を備えている。このような外筐１０は、合成樹脂の成形体から構成される。そして外筐１０内には、とくに図３に示すように、電池ケース１１が直立して配される。この電池ケース１１はその正面で乾電池１２を保持するようになっている。そして上記電池ケース１１には一体に底蓋１３が連設されるとともに、この底蓋１３の欠如された部分が開閉自在な電池蓋１４になっており、とくに図２Ｂに示すように、この電池蓋１４を開放し、これによって乾電池１２の交換を可能にしている。
【００１９】
上記電池ケース１１の背面側には回路基板１７が配される。この回路基板１７上には、受信回路が形成される。そして上記受信回路を覆うようにシールドケース１８が回路基板１７の表面の一部を覆うように取付けられる。そしてシールドケース１８の上側にはアンテナ１９が配される。アンテナ１９はほぼ板状になっているが、棒状のアンテナを複数枚組合わせるものであってもよく、電波を受信できるものであればよい。また回路基板１７の上端側の端部にはコネクタジャック２０がマウントされる。そしてこの外筐１０の上部開口を上蓋２１によって開閉自在に覆うようにしている。そして上蓋２１の上側にはジャックカバー２２が取付けられる。ジャックカバー２２は上方に引上げた後に、図２Ａに示すように、側方に回転させることによって、上記回路基板１７の上端側のコネクタジャック２０が露出するようになっている。
【００２０】
また外筐１０の上端側であって上記上蓋２１には、図１Ｂおよび図２Ａに示すように、フック２５が一体に連設される。フック２５は外筐１０のアンテナ１９が配される外側面の外周側に突出するように形成され（図５Ａ参照）、しかもフック２５には、その周方向の中間部に突部２６が下方に向けて突出して形成されている。従ってフック２５にストラップ２７を取付ける場合には、図５Ｂに示すように、上記突部２６を避けるようにしてこのフック２５に引っ掛けて取付けられる。
【００２１】
このように本実施の形態の受信機は、使用者がナビ機能を使用しながら用いるものではなく、測位状態を意識することなく用いるようにしている。すなわちストラップ２７によって吊下げたり、カバンの中に収納したりして持運ぶことを想定し、このような場合であっても、ＧＰＳ衛星からの電波の受信性能が保たれるようにしたものである。
【００２２】
すなわち本実施の形態の受信機は、その外筐の断面形状が３角形あるいはおにぎり形になっており、その外側面が実質的に３つの側面から形成され、ほぼ３角柱状の外観になっている。しかも３つの外側面の内の１つの外側面の内側には、ＧＰＳ衛星からの電波を受信するためのアンテナ１９が配されており、その面からＧＰＳ衛星からの電波を受信するようにしている。ここでアンテナ１９の受信性能を向上させるために、使用時に自然にアンテナ１９の面が外側または上側に向くような仕様にすることが好ましい。そこで、ストラップ２７によって吊下げて使用するときに、外筐１０の断面形状の違いによってアンテナ１９の外表面がＧＰＳ衛星とは反対側の方向、すなわち人やカバン等の障害物に安定して接触する方向に向く不利な状況になるのを防止している。
【００２３】
すなわち外筐１０を偏平な板状の形状にした場合には、ＧＰＳ衛星とは反対側の面を向く確率が１／２になる。これに対して３角形の断面形状の場合には、上記の確率が１／３になる。従って断面が３角形の方が不利な状況になる確率が低くなる。また外筐１０の内部に配される物品のスペース的な効率の点においても、３角形の方が有利になる（図３、図４参照）。
【００２４】
さらに本実施の形態の受信機は、そのアンテナ１９が内側に配される外側面が全体が曲面形状になっており、この曲面形状によって外筐１０が転がり易くなっている。すなわち図４に示すように、アンテナ１９が内側に配される外側面を湾曲面とし、他の２面を平坦面とすることによって、アンテナ１９が内側に配されていない平坦な外側面によって安定性が確保される。従ってアンテナ１９が臨む外側面が人やカバン等の遮蔽物に安定して接触する状況が避け易くなる（図４参照）。
【００２５】
またこの実施の形態の外筐１０は、ストラップ２７を吊下げて使用する場合に、フック２５にストラップ２７を係止する。ここでフック２５は、とくに図５Ａおよび図５Ｂに示すように、アンテナ１９が配されている外側面よりも外周側に張出した形状になっている。従ってストラップ２７によって吊下げた場合に、外筐１０のアンテナ１９が配されている湾曲面、およびその内側のアンテナが斜め上方を向き易くなってＧＰＳ衛星からの電波を有利に受信できるようになる（図５Ｂ参照）。また転がり易くなるために、アンテナ１９の面が人やカバン等の障害物に安定して接触する状態が避け易くなる。
【００２６】
またフック２５の中央部に突部２６を形成し、ストラップ２７の紐が上記突部２６を避けて取付けられることによって、吊下げ位置が中央から左右何れかの方向にずれるために、より転がり易くなる。従って電波の受信に対して不利な状況を避けるようになる。なお逆に突部２６に紐を取付けると、外筐１０がどこにも凭れかからない空中にある場合に、アンテナ１９が斜め上方を向き、電波の受信に対して有利な姿勢をとることになる。
【００２７】
またこのような受信機を自動車や電車等の内部に置いた状態で使用するときに、横向きにして３つの側面の内のアンテナ１９が内側に配されている湾曲面以外の２つの平坦な側面の内のどちらかを底面にして置くと、アンテナ１９が斜め上方向を向くようになり、これによってアンテナ１９による受信に有利な状態になる。また外筐１０の断面形状が３角形になっているために、ダッシュボード等に形成された溝を利用して安定に置くことができる。この場合には、一対の平坦面を下側にして溝に差込むことによって、アンテナ１９が上を向くようになる。なおパソコンと接続してこの受信機が取得した位置情報を取込むときには、横置きで安定した状態で使用することが可能になる。
【００２８】
次にこのような受信機による位置情報の取得と、この位置情報のパソコンへの転送のための構成およびその動作について説明する。図６はＧＰＳ装置および記憶装置の２つの機能を供給電源の切換えに応じて切換える構成を持つ情報処理装置の構成を示している。情報処理装置は、装置機能実行部３１０と、電源制御部３２０と、インタフェース（Ｉ／Ｆ）３３０を有している。
【００２９】
装置機能実行部３１０は、データ処理部３１１、記憶部（メモリ）３１２、アンテナ１９、増幅部（ＬＮＡ：Ｌｏｗ  Ｎｏｉｓｅ  Ａｍｐｌｉｆｉｅｒ）３１４、フィルタ処理部（ＳＡＷ：Ｓｕｒｆａｃｅ  Ａｃｏｕｓｔｉｃ  Ｗａｖｅ）３１５、位置情報算出部（ＧＰＳ  ＩＣ）３１６を有する。
【００３０】
電源制御部３２０は、バッテリとしての電源部３２１、スイッチ３２２、電圧制御部（ＤＣＤＣ）３２３、電圧制御部（ＲＥＧ）３２４を有する。インタフェース（Ｉ／Ｆ）３３０は、例えばＵＳＢインタフェースであり、ＰＣ等の外部機器に接続されることで、この情報処理装置に対する電力が供給され、情報処理装置と外部機器間のデータ入出力が可能になる。
【００３１】
電源制御部３２０の電源部３２１は、スイッチ３２２を介して電圧制御部（ＤＣＤＣ）３２３に接続されている。電圧制御部（ＤＣＤＣ）３２３は、電源部３２１からの入力電圧を予め定められた規定電圧に変換して、装置機能実行部３１０に入力する。なお、スイッチ３２２は、装置機能実行部３１０のデータ処理部３１１によって制御される。データ処理部３１１は、Ｉ／Ｆ（ＵＳＢ接続部）３３０を介して、外部機器からの電力供給が開始されたことを検出すると、スイッチ３２２を制御して電源部３２１からの電力供給を遮断し、外部機器からの電力供給が停止されるとスイッチ３２２を制御して電源部３２１からの電力供給を可能とする。なお、電源ボタン３２５は、ユーザによって操作されるボタンであり、電源ボタン３２５がＯＮの状態である場合にのみ電源部３２１からの電力供給が可能になる。
【００３２】
外部機器がＩ／Ｆ３３０に接続され、外部機器からの電力供給が実行される場合は、Ｉ／Ｆ３３０からの電圧は、電圧制御部（ＲＥＧ）３２４によって所定電圧に変換されて装置機能実行部３１０に入力される。装置機能実行部３１０のデータ処理部３１１は、電源部３２１からの電力供給状態にあるかに応じて装置機能実行部３１０において実行する機能を変更し、動作周波数を変更する。
【００３３】
具体的には、電源部３２１からの電力供給状態にある場合には、アンテナ１９、増幅部（ＬＮＡ：Ｌｏｗ  Ｎｏｉｓｅ  Ａｍｐｌｉｆｉｅｒ）３１４、フィルタ処理部（ＳＡＷ：Ｓｕｒｆａｃｅ  Ａｃｏｕｓｔｉｃ  Ｗａｖｅ）３１５、位置情報算出部（ＧＰＳ  ＩＣ）３１６における処理を実行して、ＧＰＳ装置として機能し、衛星からの位置情報の取得を行ない、取得した位置情報を記憶部（メモリ）３１２に格納する処理を実行する。
【００３４】
一方、Ｉ／Ｆ３３０を介する外部機器からの電力供給状態にある場合には、アンテナ１９、増幅部（ＬＮＡ：Ｌｏｗ  Ｎｏｉｓｅ  Ａｍｐｌｉｆｉｅｒ）３１４、フィルタ処理部（ＳＡＷ：Ｓｕｒｆａｃｅ  Ａｃｏｕｓｔｉｃ  Ｗａｖｅ）３１５、位置情報算出部（ＧＰＳ  ＩＣ）３１６における処理を停止し、外部機器による記憶部（メモリ）３１２へのアクセスを許容し、外部機器の利用可能な記憶装置として機能する。
【００３５】
しかも装置実行部３１０が、電源部３２１からの電力供給状態にあり、ＧＰＳ装置として機能する場合は、データ処理部３１１の動作周波数制御部は、装置機能実行部３１０の実行する処理の動作周波数を４ＭＨｚとして設定する。すなわちアンテナ１９、増幅部（（ＬＮＡ：Ｌｏｗ  Ｎｏｉｓｅ  Ａｍｐｌｉｆｉｅｒ）３１４、フィルタ処理部（ＳＡＷ：Ｓｕｒｆａｃｅ  Ａｃｏｕｓｔｉｃ  Ｗａｖｅ）３１５、位置情報算出部（ＧＰＳ  ＩＣ）３１６を利用した衛星からの位置情報取得、取得した位置情報の記憶部（メモリ）３１２への記憶処理、これら一連の処理の動作周波数を４ＭＨｚとして設定する。
【００３６】
一方装置機能実行部３１０が、Ｉ／Ｆ３３０を介する外部機器からの電力供給状態にあり、外部機器の利用可能な記憶装置として機能する場合は、処理の動作周波数を１６ＭＨｚとして設定する。すなわち外部機器からの記憶部（メモリ）３１２へのデータ記録処理あるいは読取り処理、Ｉ／Ｆ３３０を介するデータ転送処理などを１６ＭＨｚの動作周波数に基づく処理として実行する。
【００３７】
情報処理装置が電源部３２１からの電力供給状態にあり、ＧＰＳ装置として機能する場合は、Ｉ／Ｆ３３０、電圧制御部３２４は、処理停止状態となり、その他の処理ブロックのみが機能し、電源部３２１からの電力供給を受けて比較的遅い動作周波数の下にデータ処理を実行してＧＰＳ装置として利用される。
【００３８】
受信機から成る情報処理装置がＧＰＳ装置として機能する場合の処理について、図７を参照して説明する。この情報処理装置を構成する受信機がＧＰＳ装置として機能する場合には、アンテナ１９は、宇宙空間においてＧＰＳ位置情報を送信するＧＰＳ衛星３１、３２、３３からの電波を受信し、地球上における現在の緯度、経度、高度座標、および受信時刻を取得する。
【００３９】
宇宙空間に位置する複数のＧＰＳ衛星３１〜３３のそれぞれからは、宇宙空間のＧＰＳ衛星の位置を表す位置情報および時間情報を含む航法メッセージが送信されている。この情報処理装置の位置情報算出部３１６は、この航法メッセージから位置情報を割出す。宇宙空間のＧＰＳ衛星３１〜３３の送信する航法メッセージには、衛星の位置情報としての天体暦データ（アルマナック（軌道暦）およびエフェメリス（衛星暦））および信号送信時刻情報が含まれる。
【００４０】
情報処理装置の位置情報算出部３１６は、２次元的な位置と時間（ｘ、ｙ、ｔ）を求める。２次元的な位置を求めるためには、少くとも３個のＧＰＳ衛星３１〜３３の捕捉処理が必要である。すなわち位置が確認された少くとも３個のＧＰＳ衛星３１〜３３からの航法メッセージを受信することが必要となる。そしてこれら少くとも３個のＧＰＳ衛星３１〜３３からの受信情報（航法メッセージ）を用いて三角測量法を適用して位置を決定する。
【００４１】
三角測量法を用いて現在の位置を決定するステップは、
［ステップ１］ＧＰＳ衛星捕捉処理
航法メッセージを受信可能な少くとも３個のＧＰＳ衛星からのデータ受信を行ない、各ＧＰＳ衛星３１〜３３の位置を確認する。
［ステップ２］ＧＰＳモジュール位置決定処理
各ＧＰＳ衛星までの距離を算出し、地球の中心に対する現在位置を、三角測量法に基づいて算出する。
【００４２】
上述した処理ステップを実行して算出した位置情報は、時間情報に対応付けられて記憶部（メモリ）３１２に記録される。
【００４３】
これに対してこの受信機が図８に示すように、Ｉ／Ｆ３３０を介してパソコン等の外部機器から電力供給状態にあり、外部機器の利用可能な記憶装置として機能する場合は、アンテナ１９、増幅部（ＬＮＡ：Ｌｏｗ  Ｎｏｉｓｅ  Ａｍｐｌｉｆｉｅｒ）３１４、フィルタ処理部（ＳＡＷ：Ｓｕｒｆａｃｅ  Ａｃｏｕｓｔｉｃ  Ｗａｖｅ）３１５、位置情報算出部（ＧＰＳ  ＩＣ）３１６、電源部３２１、スイッチ３２２、電圧制御部（ＤＣＤＣ）３２３は、処理停止状態となり、その他の処理ブロックのみが機能し、Ｉ／Ｆ３３０を介して外部機器からの電力供給を受けて比較的早い動作周波数の下にデータ処理を実行して外部機器の利用可能な記憶装置として機能する。
【００４４】
すなわち図８に示すように、ＵＳＢケーブル３５を介して外部機器としてのパソコン３４がこの受信機３０に接続され、この受信機３０の記憶部３１２からパソコン３４によってアクセス可能なメモリ領域として利用されることになる。
【００４５】
受信機３０を外部機器としてのパソコン３４によって、記憶装置として利用する場合の一利用例について説明すると、パソコン３４は、デジタルカメラによって撮像された画像データファイルを、図９に示すようにパソコン３４のハードディスクに格納している。パソコン３４内のハードディスクのＰＣ格納データは、撮影データである画像データとその属性データである撮影日時情報を対応付けたデータになっている。
【００４６】
パソコン３４によって実行するアプリケーションは、ＵＳＢ接続された受信機の記憶部３１２に格納されたＧＰＳ記録データを読出す。ＧＰＳ記録データは、位置情報の取得日時と、位置情報（緯度、経度）が対応付けられたデータである。
【００４７】
パソコン３４のアプリケーションは、デジタルカメラによって撮像された画像データの属性としての撮影日時情報に最も近い位置情報取得日時を持つＧＰＳ記録データを選択し、その位置情報をデジタルカメラによって撮像された画像データの撮影位置情報として記録する。すなわち図９に示す格納データのように、画像データに対応する属性情報として、撮影日時情報および撮影位置情報を設定したデータを生成することができる。なおこの処理例は、受信機を情報処理装置として用いたときの利用例の１つであるが、その他にも様々な利用例が実行可能である。
【００４８】
次に上記実施の形態の変形例を図１０および図１１によって説明する。この変形例は、ほぼ３角柱状をなす外筐１０を備える受信機の保持形態に関するものであって、ここではこの受信機がまず上方が開放された断面がＶ字状のカバー４０内に収納されるようにしている。ここでカバー４０内に収納される受信機は、上記アンテナ１９が内側に配されている湾曲した外側面が上方になるように収納される。そしてこの状態で、押さえベルト４１によって押さえられる。押さえベルト４１はその長さ方向の両端であって内側と外側とにそれぞれ面ファスナ４３、４４を備えている。従ってこれらの面ファスナ４３、４４を利用し、カバー４０内に収納された受信機を固定することができる。
【００４９】
このようにカバー４０に収納した後に、図１１に示すように、さらに例えばズボンのベルト４６に固定するようにしてもよい。この場合には上記カバー４０を固定する押さえベルト４１によって、カバー４０とベルト４６とを一緒に固定すればよい。これによってこのＧＰＳ受信機を腰の部分等に保持して位置情報を取得することが可能になる。
【００５０】
次にさらに別の変形例を図１２によって説明する。この変形例は、外筐１０の形状を、その断面形状が涙滴形にしており、しかも涙滴の上面に相当する湾曲面の内側にアンテナ１９を配するようにしている。またここでは、外筐１０の半径方向の寸法が、下に行くに従って大きくなるようにしている。またここでは、吊下げ部２５の側方への突出量が、上記実施の形態よりも大きくなっており、側方であってアンテナ１９が取付けられている側面側に大きく突出するようにしている。
【００５１】
この変形例から分かるように、外筐１０の上部の吊下げ部２５で吊下げたとき、外筐１０の下部が人やカバン等に当たることになるので、少くとも外筐１０の下部の部分が涙滴形等の転がり易い形状であれば同様の効果を奏することになる。また、吊下げ部２５の上部の中央部をＶ形状として突部を形成することにより、ストラップ２７が中央部を外れた部分に位置するようになる。
【００５２】
このような形態によると、吊下げ部２５に取付けられたストラップ２７で吊下げて位置情報を取得する場合に、アンテナ１９を内側に備える湾曲面がより上側を向くことになり、これによってより良好な受信を行なうことが可能になる。またアンテナ１９を底面１４に対して上向きに傾斜させ、更に良好な受信を行なうようにしている。
【００５３】
以上本願発明を図示の実施の形態によって説明したが、本願発明は上記実施の形態によって限定されることなく、本願発明の技術的思想の範囲内において各種の変更が可能である。例えば外筐１０の寸法や、ストラップ２７を吊下げるフック２５の突出量等については、各種の変更が可能である。また上記実施の形態の受信機は、ＵＳＢケーブル３５を通してパソコン３４に取得した位置情報を転送するようにしているが、このような構成に代えて、ワイヤレスでデータの転送を行なうようにしてもよい。
【産業上の利用可能性】
【００５４】
本願発明は、ＧＰＳ衛星からの電波を受信する受信機に利用可能である。
【図面の簡単な説明】
【００５５】
【図１】受信機の外観形状を示す斜視図である。
【図２】上部あるいは底部の蓋を開いた状態の斜視図である。
【図３】外筐を取外した状態の内部の構造を示す外観斜視図である。
【図４】湾曲面を下側にして置いたときの姿勢の変化を示す断面図である。
【図５】フックに取付けられたストラップによる吊下げの動作を示す側面図である。
【図６】受信機の構成を示すブロック図である。
【図７】受信機によるＧＰＳ衛星からの電波の受信状態を示す正面図である。
【図８】取得した位置情報をパソコンに転送する動作を示す正面図である。
【図９】パソコン上の画像データに対するＧＰＳ衛星からの位置情報の付加の動作を示す説明図である。
【図１０】変形例の受信機の保持形態を示す斜視図である。
【図１１】ベルトへの取付け動作を示す斜視図である。
【図１２】変形例の受信機の吊下げ状態の斜視図である。
【符号の説明】
【００５６】
１０…外筐、１１…電池ケース、１２…乾電池、１３…底蓋、１４…電池蓋、１７…回路基板、１８…シールドケース、１９…アンテナ、２０…コネクタジャック、２１…上蓋、２２…ジャックカバー、２５…フック、２６…突部、２７…ストラップ、３０…受信機、３１〜３３…ＧＰＳ衛星、３４…パソコン、３５…ＵＳＢケーブル、４０…カバー、４１…押さえベルト、４３、４４…面ファスナ、４６…ベルト、３１０…装置機能実行部、３１１…データ処理部、３１２…記憶部（メモリ）、３１４…増幅部（ＬＮＡ：Ｌｏｗ  Ｎｏｉｓｅ  Ａｍｐｌｉｆｉｅｒ）、３１５…フィルタ処理部（ＳＡＷ：Ｓｕｒｆａｃｅ  Ａｃｏｕｓｔｉｃ  Ｗａｖｅ）、３１６…位置情報算出部（ＧＰＳ  ＩＣ）、３２０…電源制御部、３２１…電源部、３２２…スイッチ、３２３…電圧制御部（ＤＣＤＣ）、３２４…電圧制御部、３２５…電源ボタン、３３０…Ｉ／Ｆ
【図１】
0004735420.tif 000002
【図２】
0004735420.tif 000003
【図３】
0004735420.tif 000004
【図４】
0004735420.tif 000005
【図５】
0004735420.tif 000006
【図６】
0004735420.tif 000007
【図７】
0004735420.tif 000008
【図８】
0004735420.tif 000009
【図９】
0004735420.tif 000010
【図１０】
0004735420.tif 000011
【図１１】
0004735420.tif 000012
【図１２】
0004735420.tif 000013